(57)【要約】車両に取り付けるための反射具であって、当該反射具は、例えば細片状の反射材が貼付された蛍光シートを有する。また、蛍光シートには車両の開閉可能な隙間部に配置されるためのタブが、蛍光シートから延びるように設けられている。さらに、隙間部が閉められた状態においても、タブが隙間部から抜けてしまわないように、タブには棒体が取り付けられている。さらにまた、取り付け部材として紐が備えられていてもよい。また、環状の紐やバンジーストラップなどの蛍光シートを車両の下部に固定するための部材が備えられている。反射具は、サイドミラーに取り付けられるように袋状のものでもよく、また、車両の一部に取り付けられるように、蛍光シートの両端を適宜に係合させることにより袖状としたものでもよい。
2004523427.tif 000002
【特許請求の範囲】
【請求項１】
車両や車両の一部に取り付ける反射具であって、蛍光材からなる蛍光シートと、当該蛍光シートの片面に取り付けられ、あるいは蛍光シートの片面と一体的に形成される少なくとも一定形状を有する反射材と、前記蛍光シートから延びる少なくとも一つのタブからなり、当該反射具が、使用状態において、前記タブを車両の開閉可能な隙間部内に閉じ込めることにより車両に固定され得ることを特徴とする反射具。
【請求項２】
請求項１記載の反射具であって、前記反射材が、少なくとも一枚の反射片からなることを特徴とする反射具。
【請求項３】
請求項１または請求項２記載の反射具であって、１個以上の環状、あるいは円盤状の支持部材を有しており、前記蛍光シートの少なくとも一部分が円筒状に形成された状態において、当該円筒部が、前記支持部材により支持されていることを特徴とする反射具。
【請求項４】
請求項３記載の反射具であって、前記環状、あるいは円盤状の支持部材が、前記蛍光シートの円筒部に挿入できるように中空の円筒管の形状であることを特徴とする反射具。
【請求項５】
請求項２または請求項３記載の反射具であって、前記反射片が、前記蛍光シートの円筒部上に配置されていることを特徴とする反射具。
【請求項６】
請求項５記載の反射具であって、前記反射片が、前記蛍光シートの円筒部上であって、蛍光シートのタブ、あるいは蛍光シートの円筒部以外の部分が円筒部から延びる箇所から約９０度離れた位置に取り付けられていることを特徴とする反射具。
【請求項７】
請求項１乃至請求項６のいずれかに記載の反射具であって、少なくとも一定形状を有する反射材が、前記蛍光シートの他面にも存在していることを特徴とする反射具。
【請求項８】
請求項１乃至請求項７のいずれかに記載の反射具であって、前記蛍光シートを車両の下面や下側面に固定するための固定部材を有しており、当該固定部材が、蛍光シートからタブとは反対方向に延びていることを特徴とする反射具。
【請求項９】
請求項１乃至請求項８のいずれかに記載の反射具であって、前記蛍光シート及び/又はタブにパッドが入れられていることを特徴とする反射具。
【請求項１０】
請求項１乃至請求項９のいずれかに記載の反射具であって、前記隙間部が閉じられた状態において、前記タブが、隙間部から抜けてしまうことがないように、タブに棒体が挿入され、あるいは取り付けられていることを特徴とする反射具。
【請求項１１】
車両や車両の一部に反射具を取り付ける方法であって、当該反射具が、蛍光材からなる蛍光シートと、当該蛍光シートの片面に取り付けられ、あるいは蛍光シートの片面と一体的に形成される少なくとも一定形状を有する反射材と、蛍光シートから延びる少なくとも一つのタブからなり、当該反射具は前記タブを車両や車両の一部の開閉可能な隙間部に閉じ込めることにより、車両や車両の一部に取り付けられることを特徴とする反射具の取り付け方法。
【請求項１２】
反射具がしっかりと取り付けられている車両であって、当該反射具が、蛍光材からなる蛍光シートと、当該蛍光シートの片面に取り付けられ、あるいは蛍光シートの片面と一体的に形成される少なくとも一定形状を有する反射材と、蛍光シートから延びる少なくとも一つのタブからなり、当該タブが車両の開閉可能な隙間部に閉じ込められていることを特徴とする車両。
【請求項１３】
車両や車両の一部に取り付けるための反射具であって、当該反射具が、蛍光材からなる開口端と閉口端を有する袋状の蛍光シートと、当該蛍光シートに取り付けられ、あるいは蛍光シートと一体的に形成される少なくとも一定形状を有する反射材と、前記袋状の蛍光シートの開口端を部分的に閉じるための部材からなることを特徴とする反射具。
【請求項１４】
請求項１記載の反射具であって、前記反射材が、少なくとも一枚の反射片からなることを特徴とする反射具。
【請求項１５】
請求項１４記載の反射具であって、前記反射片が、前記袋状の両面に取り付けられ、あるいは貼付されていることを特徴とする反射具。
【請求項１６】
請求項１４または請求項１５記載の反射具であって、前記反射片が、前記開口端から前記閉口端まで延びていることを特徴とする反射具。
【請求項１７】
請求項１３乃至請求項１６のいずれかに記載の反射具であって、前記袋状の開口端を部分的に閉じるための部材が、当該開口端の布地部分に縫うように通された紐からなることを特徴とする反射具。
【請求項１８】
請求項１７記載の反射具であって、前記開口端が、紐用留め具により部分的に閉じられた状態に保たれることを特徴とした反射具。
【請求項１９】
車両や車両の一部に取り付けるための反射具であって、当該反射具が、蛍光材からなる蛍光シートと、当該蛍光シートに取り付けられ、あるいは蛍光シートと一体的に形成される少なくとも一定形状を有する反射材と、蛍光シートの両端側に配置された固定部材からなり、蛍光シートが袖状になるように蛍光シートの両端が適宜に係合可能となることを特徴とする反射具。
【請求項２０】
請求項１７記載の反射具であって、前記固定部材が、ベルクロ（Ｖｅｌｃｒｏ（商標））の細片からなることを特徴とする反射具。
【請求項２１】
請求項１７または請求項２０記載の反射具であって、前記反射材が、少なくとも１枚の反射片からなることを特徴とする反射具。
【請求項２２】
請求項２１記載の反射具であって、固定部材を有する蛍光シートの両端と平行に延びる少なくとも一枚の反射片を有し、当該一枚の反射片が、前記蛍光シートを袖状にした時、反対に位置するように配置されていることを特徴とする反射具。
【発明の詳細な説明】
【技術分野】
【０００１】
この発明は、車両や車両の一部に取り付ける反射具に関するものである。
【背景技術】
【０００２】
車両を明かりの全くない道路や明かりの少ない道路に停車した場合、他の道路使用者に停車車両の存在及びその停車位置について注意を促すことは事故防止の観点から重要である。この注意を促す方法として、例えば、自己の車両のハザードランプを点灯させる積極的方法や、例えば、近づいてくる車両のヘッドライトなど他の車両のライトを自己の車両から離れた位置に置いた赤い三角灯に反射させ、あるいは一般的な車両の後方ライト部に取り付けられている反射部材に反射させる方法といった消極的方法がある。
【０００３】
積極的方法は、他のドライバーの注意を惹きつけるという点においてより優れている。また、積極的方法におけるハザードランプなどは、通常電力供給を受けている自己の車両、またはその車両の一部に取り付けられているため車両の位置を示す働きもしている。しかしながら、積極的方法を作動させるには、通常、バッテリー及び/又はエンジンからの電力供給を必要とするため、一定期間車両を停車させる場合や電力供給装置自体の故障により車両が停止した場合などには実行性に乏しいといった問題があった。
【０００４】
一方、三角灯のような消極的方法は、射し込んでくる光の一部分しか反射できないので見えにくいといった問題があった。このため、近づいてくる車両に注意を促すために自己の車両から大分離れた位置に三角灯などを置く必要があった。また、消極的方法は、安定性に乏しく、風によって飛ばされやすいといった問題もあった。
【０００５】
さらに、あらゆる状況下において道路に停車する必要がある緊急用車両は、ライト以外に高い視認性を有する塗料を塗る方法を採用しているが、このような塗料を塗る方法は、半永久的なものであるので一般用車両には不向きである。
【発明の開示】
【発明が解決しようとする課題】
【０００６】
よって、本発明は、高い視認性を有しており、収納が容易で使い勝手がよく、車両や車両の一部の外側に取り付けられ、あるいは貼付される反射具を提供することを課題とする。
【課題を解決するための手段】
【０００７】
それゆえ、概略すると、本発明は、車両や車両の一部に取り付けられる反射具であって、少なくとも実質的に蛍光材から製造され、あるいは蛍光材に覆われており、その蛍光材に貼付され、あるいは蛍光材と一体的に形成される少なくとも一定形状を有する反射材と、当該反射具を車両に固定するための固定部材からなる反射具を提供する。
【０００８】
本発明の最初の形態によると、車両や車両の一部に取り付けるための反射具であって、蛍光材からなる蛍光シートと、この蛍光シートに（例えば、縫着や接着により）取り付けられ、あるいは蛍光シートと一体的に形成される少なくとも一定形状を有する反射材と、蛍光シートから延びる少なくとも一つのタブからなる反射具が提供される。このタブは、車両や車両の一部の開閉可能な隙間部に蛍光シートを固定するために使用される。このように蛍光シートが車両に固定されると、反射材が貼付されている蛍光シート面が露出されるため、車両がより見えやすくなる。
【０００９】
反射材は、１枚以上の細片状のものやストライプ状のものであることが好ましいが、丸状、三角状など、他の形状であってもよい。
【００１０】
車両の開閉可能な隙間部は、トランクやドア、窓などとしてもよく、蛍光シートのタブを閉じ込めるようにトランクやドア、窓などを閉めることにより蛍光シートは保持される。蛍光シートには重みで垂れ下がるようにパッドが入れられてもよく、さらに、このパッドは、蛍光シートが風によって裏返しにならないようにするのにも役立っている（通常、蛍光シートの裏側は車両と接触している）。また、強風の場合を想定して、シートの裏面が露出されたとしても反射具として機能するように、シートの両面を蛍光としてもよく、両面のそれぞれに少なくとも一定形状を有する反射材を取り付けるようにしてもよい。反射材に複数の細片状のものを使用した場合、裏面にはそれほど多くの反射片を貼付させる必要はない。しかしながら、蛍光シートには例えば車両のトランクの鍵部に結び付けられる紐などの固定部材及び/又は蛍光シートのタブとは反対側を車両の下部や下側面に取り付けるための固定部材が備えられていることが好ましい。蛍光シートを車両の下部等に固定する部材として、環状の紐や金属あるいはプラスチックのフック受けなどを使用してもよく、これらに紐やバンジーストラップ（ｂｕｎｇｙ ｓｔｒａｐ）などの一端を取り付け、その他端を例えばタイヤのハブやホイールなどに取り付けるようにしてもよい。また、蛍光シートに縫着、あるいは接着された紐であって、車軸やホイール、タイヤのハブなどに結び付けるのに十分な長さを有する紐を固定部材としてもよい。特に、トランクの鍵部に結び付ける紐は、蛍光シートの車両の牽引棒に結ばれる側とは反対側の中央に取り付けられるものとしてもよい。
【００１１】
さらに、閉められた状態の隙間部から蛍光シートのタブが抜けてしまわないように、タブの端部に一本、あるいは複数本の棒体を挿入し、あるいは取り付けてもよい。また、タブにも蛍光シートと同様に、隙間部から抜けてしまわないように、パッドを入れてもよい。
【００１２】
本発明の改良型の反射具は、上記した部材の他に、一個以上の環状、円盤状の支持部材を具備しており、少なくとも蛍光シートの一部が円筒状に形成され、前記支持部材により蛍光シートの円筒状は支持されている。
【００１３】
前記支持部材は、蛍光シートの円筒形状を保持するのに十分な硬さを有する材質からなり、また、例えば縫着により蛍光シートに取り付け易いものが好ましい。環状の支持部材が使用される場合、蛍光シートの円筒部の内側、外側のどちらにも取り付け可能であるものとしてよい。支持部材は、円筒部の両端とその間に一定間隔で取り付けるのが好ましい。また、支持部材は一個以上の中空の、もしくは中空でない円筒状の挿入体であってもよく、この挿入体により蛍光シートの円筒部内の大部分、もしくは全部を埋めるようにしてもよい。
【００１４】
この改良型の反射具においては、一定形状を有する反射材は、蛍光シートの円筒部上であって、蛍光シートのタブ、あるいは蛍光シートの円筒部以外の残りの部分が円筒部から延びる箇所から約９０度離れた位置に取り付けられるのが好ましい。
【００１５】
使用時には、反射具は広げられ、少なくともタブの一部及びタブに挿入された棒体を開閉可能な隙間部の内側に入れた状態で、車両の前部や後部、あるいはドアに設置される。そして、タブと、棒体があれば棒体を車両の内側に閉じ込めるように隙間部が閉められることにより、反射具は固定される。また、他の固定部材がある場合には、反射具を所望の箇所に取り付けるために使用してもよい。
【００１６】
しかしながら、例えば交通量の多い道路に停車した場合など、本発明の最初の態様における反射具を取り付ける際、安全面や実用面に問題が生じる場合がある。
【００１７】
そこで、本発明の二番目の形態によると、開口端と閉口端を有する袋状の蛍光材と、前記袋状の蛍光材に（例えば縫着や接着により）取り付けられ、あるいは前記蛍光材と一体的に形成される少なくとも一定形状を有する反射材と、さらに前記開口端を部分的に閉じるための部材からなる反射具が提供される。
【００１８】
前記反射材は、一枚以上の細片状のものやストライプ状のものであることが好ましいが、丸状、三角状など、他の形状であってもよい。
【００１９】
また、少なくとも二枚の反射片が、袋状の両側にくるように取り付けられ、あるいは貼付されているものとしてもよい。さらに、これらの反射片は、前記開口端から閉口端まで延びるものとしてもよい。あるいは、一枚のみの反射片を袋状の蛍光材の両側にくるように延ばしてもよい。
【００２０】
開口端を閉じる部材は、例えばポリエステルからなる紐としてもよい。この紐は、蛍光材の開口端周辺の布地部分に縫うように通され、紐を布地部分から引っ張ると開口端は部分的に閉じた状態となる。また、この紐には紐用留め具が取り付けられていてもよく、この留め具により、紐は布地部分に戻ることなく、開口端が閉じられた状態に保たれる。
【００２１】
この態様の反射具は、車内からでも容易にサイドミラーへの取り付けが可能であるので、車両に乗っている人は車両から離れることなく反射具の取り付けが可能である。
【００２２】
しかしながら、特に貨物用の車両など、サイドミラーが車両から延びるブラケットに取り付けられている場合など、二番目の形態の反射具を使用することができない場合がある。
【００２３】
そのため、本発明の三番目の形態によると、蛍光シートと、この蛍光シートに（例えば縫着や接着により）取り付けられ、あるいは蛍光シートと一体的に形成される少なくとも一定形状を有する反射材と、さらに蛍光シートの両端方向に設けられた固定部材からなり、この反射具が袖状となるように両端の固定部材を適宜に係合させることを特徴とする車両や車両の一部に取り付けるための反射具が提供される。
【００２４】
前記反射材は、一枚以上の細片状のものやストライプ状のものであることが好ましいが、丸状、三角状など、他の形状であってもよい。
【００２５】
また、前記固定部材は、蛍光シートの一端にフック片、他端にループ片が縫い付けてあるベルクロ（Ｖｅｌｃｒｏ（商標））の細片からなり、前記フック片とループ片を係合させることにより蛍光シートを袖状に固定する。
【００２６】
蛍光シートには少なくとも二枚の反射片が、固定部材と平行になるように取り付けられ、あるいは貼付されているが、この二枚の反射片は、蛍光シートを袖状にした時、お互いが反対の位置にくるように配置されている。
【００２７】
このような形態の反射具によると、ブラケットに取り付けられたタイプのサイドミラーであっても車両から離れることなく、反射具をサイドミラーに巻いて固定することができる。
【００２８】
以上、様々な形態の反射具について述べられてきたが、本発明は、このような反射具を車両や車両の一部に取り付けて使用することや、このような反射具を取り付ける方法、さらに反射具が取り付けられた車両自体をも包含している。このことは上記三つの形態すべてにおいて同様である。
【発明を実施するための最良の形態】
【００２９】
図１ａと図１ｂは、それぞれ車両のトランクやボンネットに取り付けられる反射具を示したものである。この反射具は、例えば染色された４オンスポリウレタン（ｐｏｌｙｕｒｅｔｈａｎｅ（ＰＵ））がコーティングされたナイロン布など、高い視認性を有する衣類などによく使用される製品の一つである蛍光シート１０からなる。また、この蛍光シート１０は、一般的な自動車の幅とほとんど同じ幅に形成されている。
【００３０】
前記蛍光シート１０には、例えばリフレキサイト（Ｒｅｆｌｅｘｉｔｅ（登録商標））やこれと同じような素材の、高い視認性を有する衣類などによく使用される製品の一つからなる複数枚の反射片２０，２１が縫着され、あるいは接着されている。この実施形態においては、図１ａ、図１ｂに示すように、反射具の前面には三枚の反射片２０が、反射具の後面には二枚の反射片２１がそれぞれ貼付されている。このように、反射具のどちら側の面が露出されたとしても、この反射具は、その機能を果たすことができる。また、この実施形態においては、蛍光シート１０は、両面とも蛍光材からできている。
【００３１】
さらに、蛍光シート１０からは二つのタブ３０、３１が延びている。図１ａ、図１ｂに示されるように、タブ３０、２１及び蛍光シート１０の反射片が貼付されている１０ｂ部分にはパッドが入れられている。このパッドには、発泡材やこれと同じような材質のもので、収納時には折り畳むことができ、かつ反射具がその重みで垂れ下がるようにある程度重さがある材質のものを使用してもよい。蛍光シート１０にはパッドが入れられていない部分１０ａが設けられているが、これは蛍光シート１０を折り畳んだ時にタブ３０、３１が邪魔にならないようにするためのものである。
【００３２】
さらにまた、蛍光シート１０の両端中央には紐４０、４１ｂが取り付けられている。この紐４０は、反射具を車両のトランクの鍵部分に結ぶため、あるいは車両のトランク内、ボンネット内のある部分に結ぶために使われる。一方、紐４１は、反射具を車両の牽引棒に結ぶために使われ、これにより反射具は所定箇所に固定される。
【００３３】
以上のように、通常の使用態様において、反射具が広げられた後、タブ３０、３１を車両のトランク内、またはボンネット内に閉じ込めるように配置し、蛍光シート１０により車両の前部または後部を覆うようにする。また、反射具は、紐４０、４１を使用することによっても固定される。このように、通常、蛍光シート１０の片面のみが露出された状態となる。しかしながら、蛍光シート１０の他面にも反射片は貼付されている。これは、紐４１が外れてしまった場合や、雪が降っている時でもできるだけ反射面に雪が積もらないようにわざと紐４１を結ばないで蛍光シート１０を動くようにした場合を考慮したものである。なお、この実施形態において、後面には二枚の反射片２１が、前面には三枚の反射片２０が貼付されている。
【００３４】
図２は、車両のトランクやボンネットに取り付けられる反射具の他の形態を示したものである。この反射具も同様に、蛍光シート１０からなり、蛍光シート１０には反射片２０が取り付けられ、あるいは貼付されている。
【００３５】
また、蛍光シート１０からはタブ３０、３１が延びており、タブの端の布の折り返し部分にはプラスチックや金属製の一本のパイプのような棒体５０、５１が挿入されている。
【００３６】
紐４０も蛍光シート１０のタブ３０、３１の間に取り付けられており、反射具を車両のトランクの鍵部分や車両のトランク内、あるいはボンネット内のある部分に結ぶために使用される。
【００３７】
さらに、反射具の下のかど部には、環状の紐６０、６１が取り付けられ、紐やバンジーストラップ（ｂｕｎｇｙ  ｓｔｒａｐ）７０，７１の取り付け部となっており、これらはそれぞれタイヤのハブやホイール、その他車両の側面や下面の固定部に固定される。
【００３８】
なお、この反射具は、棒体５０、５１以外全て布地からできているため、車内への収納時における折り畳みや巻き上げが容易で便利である。
【００３９】
使用の際、反射具は広げられ、棒体５０、５１とタブ３０，３１の一部がトランクやボンネットの内側にくるように配置される。その後、タブを挟むようにトランクやボンネットを閉めると反射具は車両に固定される。また、紐４０及び/またはバンジーストラップ（ｂｕｎｇｙ  ｓｔｒａｐ）７０、７１を所定の箇所に取り付けることにより、反射具はより確実に固定される。
【００４０】
図３は、車両のトランクやボンネットに取り付けられる反射具の他の形態を示したものである。この形態においても、反射具は蛍光シート１０からなり、蛍光シート１０には反射片２０が縫着され、さらに蛍光シート１０からタブ３０、３１が延び、タブの端の布の折り返し部分には棒体５０、５１が挿入されている。また、反射具をトランクの鍵部に固定するための紐４０も取り付けられている。
【００４１】
図３に示された形態の反射具においては、蛍光シート１０のタブとは反対の端部を蛍光シートの他の部分に接着（縫着）することにより、蛍光シート１０の一部に円筒部８０が形成されている。この円筒部８０の内側には気泡ゴムからなる環状の支持部材９０が、長手方向に沿って一定間隔で取り付けられている。
【００４２】
図４は、車両のサイドミラーなどの突出部分に取り付けられる反射具を示したものである。この形態の反射具は、例えば縫着により、開口端１００と閉口端１１０を有する袋状に形成した蛍光シート１０からなる。この反射具の両面には開口端１００から閉口端１１０まで延びる反射片２０が貼付されている。
【００４３】
開口端１００にはポリエステルの紐１２０が、蛍光シート１０に設けられた穴や蛍光シート１０を折り曲げてできた通路を通るように取り付けられている。この紐１２０を引っ張ると引き紐の効果により開口端１００が部分的に閉じられ、留め具１２５によってその閉じられた状態は保持される。
【００４４】
この形態の反射具は、全体が可撓性を有しているため、収納時における折り畳みや、巻き上げが容易である。
【００４５】
また、使用時においては、この形態の反射具は、どちらの方向から来る車両にも反射片２０が確認できるように、他の車両が通り過ぎる側のサイドミラーに取り付けられ、紐１２０をしっかりと引っ張り、留め具を使用してサイドミラーに固定される。
【００４６】
図５は、車両のサイドミラーなどの突出部分に取り付けられる反射具の他の形態を示したものであり、特に、貨物用の車両によく見られるような、サイドミラーが連続したブラケットに取り付けられているタイプの車両に取り付けられる反射具を示したものである。
【００４７】
この反射具は、蛍光シート１０からなり、蛍光シート１０には反射片２０が縫着されている。また、蛍光シート１０の両面及び両端にはベルクロ（Ｖｅｌｃｒｏ（商標））や他の同様な素材からなる細片１３０、１３５が縫着されている。細片の一方はフック片からなり、他方はループ片からなる。よって、反射具を袖状にサイドミラーに巻き、前記２枚の細片の係合により固定することができる。なお、前記二枚の細片の替わりにバックルや他の留め具により固定することも可能である。
【００４８】
図５に示すように、ベルクロ（Ｖｅｌｃｒｏ（商標））の細片を垂直方向に取り付けることにより、袖状の反射具はあらゆる形状のサイドミラーに適用され得る。また、より確実に固定するためにベルクロ（Ｖｅｌｃｒｏ（商標））の細片の数を増やすことも可能である。
【図面の簡単な説明】
【００４９】
【図１】本発明の最初の実施形態における反射具の正面図（図１ａ）と背面図（図１ｂ）。
【図２】本発明の最初の実施形態における反射具の第二の反射具を示す図。
【図３】本発明の最初の実施形態における反射具の第三の反射具を示す図。
【図４】本発明の二番目の実施形態における反射具を示す図。
【図５】本発明の三番目の実施形態における反射具を示す図。
【国際公開パンフレット】
2004523427.tif 000003
2004523427.tif 000004
2004523427.tif 000005
2004523427.tif 000006
2004523427.tif 000007
2004523427.tif 000008
2004523427.tif 000009
2004523427.tif 000010
2004523427.tif 000011
2004523427.tif 000012
2004523427.tif 000013
2004523427.tif 000014
2004523427.tif 000015
2004523427.tif 000016
2004523427.tif 000017
2004523427.tif 000018
2004523427.tif 000019
2004523427.tif 000020
2004523427.tif 000021
2004523427.tif 000022
2004523427.tif 000023
2004523427.tif 000024
2004523427.tif 000025
2004523427.tif 000026
2004523427.tif 000027
2004523427.tif 000028
【国際公開パンフレット（コレクトバージョン）】
2004523427.tif 000029
2004523427.tif 000030
【国際調査報告】
2004523427.tif 000031
2004523427.tif 000032
2004523427.tif 000033
2004523427.tif 000034